【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
以下の工程、即ち、
ａ）  １種以上の窒素酸化物を含む気体状媒体又はエアロゾル媒体又は液体媒体を提供する工程、
ｂ）  ＢＥＴ窒素法により測定された１０〜２００ｍ２／ｇの範囲のＢＥＴ比表面積を有する少なくとも１種の粒状アルカリ土類炭酸塩含有材料及び／又は少なくとも１種の粒状アルカリ土類リン酸塩含有材料を提供する工程、及び
ｃ）  １種以上の窒素酸化物の少なくとも一部を気体状媒体及び／又はエアロゾル媒体又は液体媒体から少なくとも１種の粒状アルカリ土類炭酸塩含有材料及び／又は少なくとも１種の粒状アルカリ土類リン酸塩含有材料の表面及び／又は細孔に吸収するために、工程ａ）の気体状媒体及び／又はエアロゾル媒体又は液体媒体を、工程ｂ）の少なくとも１種の粒状アルカリ土類炭酸塩含有材料及び／又は少なくとも１種の粒状アルカリ土類リン酸塩含有材料と接触させる工程、及び
ｄ）  任意選択的に、工程ｃ）の前及び／又は間及び／又は後に少なくとも１種の粒状炭酸カルシウム含有材料を提供し、少なくとも１種の粒状炭酸カルシウム含有材料を工程ｂ）の少なくとも１種の粒状アルカリ土類炭酸塩含有材料及び／又は少なくとも１種の粒状アルカリ土類リン酸塩含有材料と接触させる工程
を含む、気体状媒体又はエアロゾル媒体又は液体媒体から１種以上の窒素酸化物を吸収する方法。
【請求項２】
工程ａ）の媒体は、空気、周囲空気、排ガス、工場ガス、家庭ガス、産業ガス、自動車排ガス、霧、煙及びそれらの混合物を含む群から選択される気体媒体及び／又はエアロゾル媒体であり、又は工程ａ）の媒体は、雨水、飲料水、産業排水、都市排水、農業排水及びそれらの混合物を含む群から選択される液体媒体である、請求項１に記載の方法。
【請求項３】
気体状媒体及び／又はエアロゾル媒体又は液体媒体が、ＮＯ、ＮＯ２、ＮＯ２−、ＮＯ３−、Ｎ２Ｏ、Ｎ４Ｏ、Ｎ２Ｏ３、Ｎ２Ｏ４、Ｎ２Ｏ５、Ｎ４Ｏ６、及びそれらの混合物を含む群から選択される１種以上の窒素酸化物を含む、請求項１又は２に記載の方法。
【請求項４】
気体状媒体及び／又はエアロゾル媒体又は液体媒体が、気体状媒体及び／又はエアロゾル媒体又は液体媒体の全体積を基準として，１５００ｐｐｍまでの総量で１種以上の窒素酸化物を含む、請求項１から３のいずれか一項に記載の方法。
【請求項５】
気体状媒体及び／又はエアロゾル媒体又は液体媒体が、気体状媒体及び／又はエアロゾル媒体又は液体媒体の全体積を基準として，７００ｐｐｍまでの総量で１種以上の窒素酸化物を含む、請求項４に記載の方法。
【請求項６】
工程ｂ）の少なくとも１種の粒状アルカリ土類炭酸塩含有材料及び／又は少なくとも１種の粒状アルカリ土類リン酸塩含有材料及び／又は工程ｄ）の少なくとも１種の粒状炭酸カルシウム含有材料が、工程ｂ）の少なくとも１種の粒状アルカリ土類炭酸塩含有材料及び／又は少なくとも１種の粒状アルカリ土類リン酸塩含有材料及び／又は工程ｄ）の少なくとも１種の粒状炭酸カルシウム含有材料、雲母、クレー、タルクとは異なる固体材料との混合物における、粉末、顆粒、水性懸濁液又は有機溶媒中の懸濁液のような懸濁液、カラム、カートリッジ、塗料、コーティング、フィルター材料、蛇籠、又は建材の形態で提供される、請求項１から５のいずれか一項に記載の方法。
【請求項７】
蛇籠が、高速道路又は廃棄物焼却プラントの隣に配置される蛇籠である、請求項６に記載の方法。
【請求項８】
工程ｂ）の少なくとも１種の粒状アルカリ土類炭酸塩含有材料及び／又は少なくとも１種の粒状アルカリ土類リン酸塩含有材料が、表面改質された炭酸カルシウム、又はアパタイト、炭酸マグネシウム、ハイドロマグネサイト及び／又はドロマイトとの混合物における表面改質された炭酸カルシウムである、請求項１から７のいずれか一項に記載の方法。
【請求項９】
工程ｄ）の少なくとも１種の粒状炭酸カルシウム含有材料が、
ｉ）光散乱法により決定された、＜３０ｍｍの体積メジアン粒径ｄ５０、及び／又は
ｉｉ）ＢＥＴ窒素法により測定された、０．５〜２００ｍ２／ｇのＢＥＴ比表面積、及び／又は
ｉｉｉ）光散乱法により決定された、≧２の粒度分布ｄ９８／ｄ５０
を有する少なくとも１種の天然の重質炭酸カルシウム（ＮＧＣＣ）及び／又は少なくとも１種の沈降炭酸カルシウム（ＰＣＣ）である、請求項１から８のいずれか一項に記載の方法。
【請求項１０】
工程ｂ）の少なくとも１種の粒状アルカリ土類炭酸塩含有材料及び／又は少なくとも１種の粒状アルカリ土類リン酸塩含有材料が、
ｉ）光散乱法により決定された、≧１μｍの体積メジアン粒径ｄ５０、及び／又は
ｉｉ）ＢＥＴ窒素法により測定された、１５〜２００ｍ２／ｇのＢＥＴ比表面積、及び／又は
ｉｉｉ）光散乱法により決定された、≧１．１の粒度分布ｄ９８／ｄ５０、及び／又は
ｉｖ）水銀圧入ポロシメトリー測定から計算して、０．１５０〜１．３００ｃｍ３／ｇの粒子内侵入比細孔容積
を有する少なくとも１種の表面改質された炭酸カルシウム（ＭＣＣ）である、請求項１から９のいずれか一項に記載の方法。
【請求項１１】
水銀圧入ポロシメトリー測定から計算した粒子内侵入比細孔容積が０．１７８〜１．２４４ｃｍ３／ｇである、
請求項１０に記載の方法。
【請求項１２】
工程ｄ）の少なくとも１種の粒状炭酸カルシウム含有材料及び／又は工程ｂ）の少なくとも１種の粒状アルカリ土類炭酸塩含有材料及び／又は少なくとも１種の粒状アルカリ土類リン酸塩含有材料が、少なくとも０．００１ｍｇ／ｍ２の含水量を有する、請求項１から１１のいずれか一項に記載の方法。
【請求項１３】
方法が、工程ｃ）の間及び／又は後に、少なくとも１種の粒状アルカリ土類炭酸塩含有材料及び／又は少なくとも１種の粒状アルカリ土類リン酸塩含有材料をＵＶ光及び／又は可視光にさらすさらなる工程ｅ）を含む、請求項１から１２のいずれか一項に記載の方法。
【請求項１４】
方法が、少なくとも１種の粒状アルカリ土類炭酸塩含有材料及び／又は少なくとも１種の粒状アルカリ土類リン酸塩含有材料の表面及び／又は細孔から１種以上の窒素酸化物及び／又はその反応生成物を除去するためのような１つ以上の工程において、工程ｃ）又は存在するならば工程ｅ）で得られた少なくとも１種の粒状アルカリ土類炭酸塩含有材料及び／又は少なくとも１種の粒状アルカリ土類リン酸塩含有材料を洗浄するさらなる工程ｆ）を含む、請求項１から１３のいずれか一項に記載の方法。
【請求項１５】
洗浄工程ｆ）が、工程ｃ）又は存在するならば工程ｅ）で得られた少なくとも１種の粒状アルカリ土類炭酸塩含有材料及び／又は少なくとも１種の粒状アルカリ土類リン酸塩含有材料を、水、有機溶媒、少なくとも１種の塩基性反応塩、少なくとも１種の塩基又はそれらの混合物の水溶液と接触させることによって行われる、請求項１４に記載の方法。
【請求項１６】
少なくとも１種の塩基性反応塩がＮａ２ＣＯ３又はＬｉ２ＣＯ３であり、及び／又は
少なくとも１種の塩基が水酸化リチウム、水酸化ナトリウム、水酸化カリウム、水酸化カルシウム、水酸化マグネシウム、アンモニア、水酸化アンモニウム、有機アミン又はそれらの混合物である、
請求項１５に記載の方法。
【請求項１７】
洗浄工程ｆ）で得られた少なくとも１種の粒状アルカリ土類炭酸塩含有材料及び／又は少なくとも１種の粒状アルカリ土類リン酸塩含有材料が、方法の工程ｂ）において少なくとも１種の粒状アルカリ土類炭酸塩含有材料及び／又は少なくとも１種の粒状アルカリ土類リン酸塩含有材料として再使用される、請求項１４から１６のいずれか一項に記載の方法。
【請求項１８】
請求項１から１３のいずれか一項による気体状媒体及び／又はエアロゾル媒体又は液体媒体からから１つ又は複数の窒素酸化物を吸収する方法によって得られる粒状アルカリ炭酸塩含有材料及び／又は粒状アルカリ土類リン酸塩含有材料。
【請求項１９】
請求項１又は６から１２のいずれか一項に規定された少なくとも１種の粒状アルカリ土類炭酸塩含有材料及び／又は少なくとも１種の粒状アルカリ土類リン酸塩含有材料を含む吸着材。
【請求項２０】
１種以上の窒素酸化物を気体状媒体及び／又はエアロゾル媒体又は液体媒体から吸収するための請求項１又は６から１２のいずれか一項に規定された少なくとも１種の粒状アルカリ土類炭酸塩含有材料及び／又は少なくとも１種の粒状アルカリ土類リン酸塩含有材料の使用。
【請求項２１】
気体状媒体及び／又はエアロゾル媒体又は液体媒体は、ＮＯ、ＮＯ２、ＮＯ２−、ＮＯ３−、Ｎ２Ｏ、Ｎ４Ｏ、Ｎ２Ｏ３、Ｎ２Ｏ４、Ｎ２Ｏ５、Ｎ４Ｏ６、及びそれらの混合物を含む群から選択される１種以上の窒素酸化物を含む、請求項２０に記載の使用。
【請求項２２】
少なくとも１種の粒状アルカリ土類炭酸塩含有材料及び／又は少なくとも１種の粒状アルカリ土類リン酸塩含有材料が、少なくとも１種の粒状アルカリ土類炭酸塩含有材料及び／又は少なくとも１種の粒状アルカリ土類リン酸塩含有材料とは異なる固体材料との混合物における、粉末、顆粒、水性懸濁液又は有機溶媒中の懸濁液のような懸濁液、カラム、カートリッジ、塗料、コーティング、フィルター材料、蛇籠、又は建材の形態である、請求項２０又は２１に記載の使用。
【請求項２３】
蛇籠が、高速道路又は廃棄物焼却プラントの隣に配置される蛇籠である、請求項２２に記載の使用。